(57)【要約】【課題】  撮影装置によって画像データ記録用の記録媒体の残記憶容量を意識することなく撮影を行うことができる画像管理システムを得る。【解決手段】  デジタルカメラ２０により、インターネット８０との間で無線通信可能な状態となっていることが検知されたときにデジタルカメラ２０における画像データ記録用の記録媒体に記録されている画像データをインターネット８０に送信すると共に、送信した画像データを前記記録媒体から消去し、サーバ装置１２により、デジタルカメラ２０から送信された画像データが受信されたときに当該画像データをハードディスク１８に登録する。【選択図】        図１
2006115146.tif 000002
【特許請求の範囲】
【請求項１】
撮像によって被写体像を示す画像データを取得する撮像手段、前記撮像手段によって取得された画像データが記録される記録媒体、前記記録媒体への前記画像データの記録及び消去を行う画像記録消去手段、予め定められたネットワークとの間で無線通信を行う無線通信手段、前記ネットワークとの間で無線通信可能な状態となっていることを検知する検知手段、及び前記検知手段によって無線通信可能な状態となっていることが検知されたときに前記記録媒体に記録されている画像データを前記ネットワークに送信するように前記無線通信手段を制御すると共に、送信した画像データを前記記録媒体から消去するように前記画像記録消去手段を制御する撮影装置制御手段を備えた撮影装置と、
前記撮影装置の前記無線通信手段によって送信された画像データが登録される記憶手段、前記記憶手段への前記画像データの登録を行う画像登録手段、前記ネットワークとの間で通信を行う通信手段、及び前記撮影装置の前記無線通信手段によって送信された画像データが前記通信手段によって受信されたときに当該画像データを登録するように前記画像登録手段を制御するサーバ装置制御手段を備えたサーバ装置と、
を含む画像管理システム。
【請求項２】
前記撮影装置に、前記サーバ装置の前記記憶手段に登録されている画像データのダウンロードの実行指示を入力する指示入力手段を更に備え、
前記撮影装置制御手段は、前記指示入力手段によって前記ダウンロードの実行指示が入力されたときに当該ダウンロードの実行を指示するダウンロード実行指示情報を前記ネットワークに送信するように前記無線通信手段を制御すると共に、当該ダウンロード実行指示情報に応じて前記サーバ装置から送信される画像データが前記無線通信手段によって受信されたときに当該画像データを前記記録媒体に記録するように前記画像記録消去手段を制御し、
前記サーバ装置制御手段は、前記撮影装置の前記無線通信手段によって送信された前記ダウンロード実行指示情報が前記通信手段によって受信されたときに前記記憶手段に登録されている画像データを送信するように前記通信手段を制御する
請求項１記載の画像管理システム。
【請求項３】
前記指示入力手段を、前記サーバ装置の前記記憶手段に登録されている画像データによって示される被写体像のプリントの実行指示を更に入力するものとし、
前記撮影装置制御手段は、前記指示入力手段によって前記プリントの実行指示が入力されたときに当該プリントの実行を指示するプリント実行指示情報を前記ネットワークに送信するように前記無線通信手段を制御し、
前記サーバ装置制御手段は、前記撮影装置の前記無線通信手段によって送信された前記プリント実行指示情報が前記通信手段によって受信されたときに当該プリント実行指示情報に応じたプリントを手配するように前記通信手段を制御する
請求項２記載の画像管理システム。
【請求項４】
前記撮影装置に、前記検知手段によって無線通信可能な状態となっていることが検知されたときで、かつ当該撮影装置が待機状態となっているとき、当該待機状態を解除する解除手段を更に備えた
請求項１乃至請求項３の何れか１項記載の画像管理システム。
【発明の詳細な説明】
【技術分野】
【０００１】
本発明は、画像管理システムに関し、特に、無線通信可能に構成された撮影装置による撮影によって取得された画像データを管理する画像管理システムに関する。
【背景技術】
【０００２】
近年、予め定められた処理を行うノートブック型パーソナル・コンピュータ、ＰＤＡ（Personal Digital Assistant，携帯情報端末）、デジタルカメラ、携帯電話機等の携帯型の情報処理装置には、ＩＥＥＥ（Institute of Electrical and Electronics Engineers）８０２．１１ａ／ｂ／ｇ等に代表される無線ＬＡＮ（Local Area Network）規格に対応して無線通信機能を備えたものが多数商品化されている。
【０００３】
その一方で、この種の無線通信機能を備えた携帯型の情報処理装置には、一般に、電源消費を抑制するために、最小限の部位のみに電力を供給する待機モード（所謂、省エネルギーモード）が設けられており、ユーザによる操作が所定期間以上行われない場合に自動的に待機モードに移行されるようになっている。
【０００４】
このため、無線通信機能によって自身が対応している規格とされた所定の無線ＬＡＮに接続可能な環境内に情報処理装置が持ち込まれた際に、当該情報処理装置が待機モードに移行されている場合に無線ＬＡＮに接続するためには、待機モードを解除して通常動作のモードに復帰させた後、無線ＬＡＮに対して通信可能な状態となるように操作を行う必要があり、このための操作が煩雑であった。
【０００５】
そこで、この問題を解決するために適用できる技術として、従来、他の装置との間で無線通信を行うための無線通信装置を備えた情報処理装置において、本体の電源断時に無線通信装置を受信待機状態に遷移させ、無線通信装置が他装置からの信号を受信すると、本体に電力供給を行うと共に、他装置との間で無線通信を行うための通信ソフトウェアを起動させる技術が提案されている（例えば、特許文献１参照。）。
【０００６】
この技術を、前述した無線通信機能を備えた携帯型の情報処理装置に適用することにより、当該無線通信機能によって自身が対応している規格とされた所定の無線ＬＡＮに接続可能な環境内に情報処理装置が持ち込まれた際に、当該情報処理装置が待機モードに移行されている場合であっても、自動的に待機モードが解除されて通常動作のモードに復帰された後、無線ＬＡＮに対して通信可能な状態に移行されるため、この状態に至るまでの煩雑な操作を行う必要がなくなる。
【特許文献１】特開平１１−１２６１１７号公報
【発明の開示】
【発明が解決しようとする課題】
【０００７】
ところで、近年のデジタル電子スチルカメラや撮影機能付き携帯電話機等の撮影機能を有する情報処理装置（本明細書では、「撮影装置」と称する。）では、一般に、撮影によって得られた画像データを、電子化ファイルとして、スマートメディア（Smart Media（登録商標））、ｘＤピクチャカード、メモリスティック（Memory Stick）、ＳＤメモリカード、コンパクトフラッシュ（登録商標）（Compact Flash）等の可搬型の記録メディアに記録しているが、当該記録メディアの記憶容量には限度があるため、当該記録メディアの残記憶容量を常に意識しつつ撮影を行う必要がある、という問題点があった。
【０００８】
近年の撮影装置では、記録画像の高解像度化が著しく、この記録メディアの残記憶容量を常に意識しつつ撮影を行う必要がある、という問題点は、利便性の面で深刻な問題となっている。
【０００９】
これに対し、前述した自動的に待機モードが解除される技術では、撮影によって得られた画像データの記憶容量については何ら考慮されていないため、この問題点に関しては無力である。
【００１０】
本発明は上記問題点を解決するためになされたものであり、撮影装置によって画像データ記録用の記録媒体の残記憶容量を意識することなく撮影を行うことができる画像管理システムを提供することを目的とする。
【課題を解決するための手段】
【００１１】
上記目的を達成するために、請求項１記載の画像管理システムは、撮像によって被写体像を示す画像データを取得する撮像手段、前記撮像手段によって取得された画像データが記録される記録媒体、前記記録媒体への前記画像データの記録及び消去を行う画像記録消去手段、予め定められたネットワークとの間で無線通信を行う無線通信手段、前記ネットワークとの間で無線通信可能な状態となっていることを検知する検知手段、及び前記検知手段によって無線通信可能な状態となっていることが検知されたときに前記記録媒体に記録されている画像データを前記ネットワークに送信するように前記無線通信手段を制御すると共に、送信した画像データを前記記録媒体から消去するように前記画像記録消去手段を制御する撮影装置制御手段を備えた撮影装置と、前記撮影装置の前記無線通信手段によって送信された画像データが登録される記憶手段、前記記憶手段への前記画像データの登録を行う画像登録手段、前記ネットワークとの間で通信を行う通信手段、及び前記撮影装置の前記無線通信手段によって送信された画像データが前記通信手段によって受信されたときに当該画像データを登録するように前記画像登録手段を制御するサーバ装置制御手段を備えたサーバ装置と、が含まれている。
【００１２】
請求項１に記載の画像管理システムによれば、撮影装置において、撮像によって被写体像を示す画像データを取得する撮像手段により取得された画像データの記録媒体への記録及び消去が画像記録消去手段によって行われる。なお、上記撮像手段には、ＣＣＤ（電荷結合素子）、ＣＭＯＳイメージ・センサ等の固体撮像素子が含まれる。また、上記記録媒体には、スマートメディア、コンパクトフラッシュ（登録商標）、ＳＤメモリカード、メモリスティック等の可搬型の記録媒体が含まれる。
【００１３】
また、本発明の撮影装置は、予め定められたネットワークとの間で無線通信を行う無線通信手段が備えられており、前記ネットワークとの間で無線通信可能な状態となっていることが検知手段によって検知される。なお、上記ネットワークには、インターネット、ＬＡＮ（Local Area Network）、ＶＡＮ（Value Added Network）、電話回線網、エコーネット（ECHONET）、ＨｏｍｅＰＮＡ等の各種ネットワークの単独及び組み合わせたものが含まれる。また、上記無線通信手段による通信規格には、ＩＥＥＥ８０２．１１ａ／ｂ／ｇの他、ブルートゥース（Bluetooth）、ＩｒＤＡ（Infrared Data Association）規格等の規格が含まれる。更に、上記検知手段による無線通信可能な状態となっていることの検知は、当該無線通信で用いられているキャリア（搬送波）を検波することによる検知の他、無線通信手段により実際に通信ができたか否かを判定することによる検知が含まれる。
【００１４】
ここで、本発明の撮影装置では、撮影装置制御手段により、前記検知手段によって無線通信可能な状態となっていることが検知されたときに前記記録媒体に記録されている画像データを前記ネットワークに送信するように前記無線通信手段が制御されると共に、送信した画像データを前記記録媒体から消去するように前記画像記録消去手段が制御される。
【００１５】
一方、本発明の画像管理システムでは、サーバ装置に対して、前記撮影装置の前記無線通信手段によって送信された画像データが登録される記憶手段と、前記記憶手段への前記画像データの登録を行う画像登録手段と、前記ネットワークとの間で通信を行う通信手段と、が備えられている。なお、上記記憶手段には、ＲＡＭ（Random Access Memory）、ＥＥＰＲＯＭ（Electrically Erasable and Programmable ROM）、フラッシュＥＥＰＲＯＭ（Flash EEPROM）等の記憶素子、スマートメディア、コンパクトフラッシュ（登録商標）等の可搬型の記録媒体やハードディスク等の固定記録媒体が含まれる。また、上記通信手段による通信規格には、ＩＥＥＥ８０２．１１ａ／ｂ／ｇ、ブルートゥース、ＩｒＤＡ規格等の無線通信規格の他、有線の各種通信規格が含まれる。
【００１６】
ここで、本発明のサーバ装置では、サーバ装置制御手段により、前記撮影装置の前記無線通信手段によって送信された画像データが前記通信手段によって受信されたときに当該画像データを登録するように前記画像登録手段が制御される。
【００１７】
このように、請求項１に記載の画像管理システムによれば、撮影装置により、予め定められたネットワークとの間で無線通信可能な状態となっていることが検知されたときに画像データ記録用の記録媒体に記録されている画像データを前記ネットワークに送信すると共に、送信した画像データを前記記録媒体から消去し、サーバ装置により、撮影装置から送信された画像データが受信されたときに当該画像データを登録しているので、撮影装置を上記ネットワークとの間で無線通信可能な環境に持ち込むことにより、撮影装置によって画像データ記録用の記録媒体の残記憶容量を意識することなく撮影を行うことができる。
【００１８】
なお、本発明は、請求項２に記載の発明のように、前記撮影装置に、前記サーバ装置の前記記憶手段に登録されている画像データのダウンロードの実行指示を入力する指示入力手段を更に備え、前記撮影装置制御手段は、前記指示入力手段によって前記ダウンロードの実行指示が入力されたときに当該ダウンロードの実行を指示するダウンロード実行指示情報を前記ネットワークに送信するように前記無線通信手段を制御すると共に、当該ダウンロード実行指示情報に応じて前記サーバ装置から送信される画像データが前記無線通信手段によって受信されたときに当該画像データを前記記録媒体に記録するように前記画像記録消去手段を制御し、前記サーバ装置制御手段は、前記撮影装置の前記無線通信手段によって送信された前記ダウンロード実行指示情報が前記通信手段によって受信されたときに前記記憶手段に登録されている画像データを送信するように前記通信手段を制御することが好ましい。これによって、撮影装置を上記ネットワークとの間で無線通信可能な環境に持ち込むことにより、サーバ装置に登録した画像データをダウンロードすることができ、利便性を向上することができる。
【００１９】
なお、上記指示入力手段には、キーボード、ポインティング・デバイス等の入力装置が含まれる。
【００２０】
また、請求項２に記載の発明は、請求項３に記載の発明のように、前記指示入力手段を、前記サーバ装置の前記記憶手段に登録されている画像データによって示される被写体像のプリントの実行指示を更に入力するものとし、前記撮影装置制御手段は、前記指示入力手段によって前記プリントの実行指示が入力されたときに当該プリントの実行を指示するプリント実行指示情報を前記ネットワークに送信するように前記無線通信手段を制御し、前記サーバ装置制御手段は、前記撮影装置の前記無線通信手段によって送信された前記プリント実行指示情報が前記通信手段によって受信されたときに当該プリント実行指示情報に応じたプリントを手配するように前記通信手段を制御することが好ましい。これによって、撮影装置を上記ネットワークとの間で無線通信可能な環境に持ち込むことにより、サーバ装置に登録した画像データによって示される被写体像のプリントの手配を簡易に行うことができ、利便性を向上することができる。
【００２１】
更に、本発明は、請求項４に記載の発明のように、前記撮影装置に、前記検知手段によって無線通信可能な状態となっていることが検知されたときで、かつ当該撮影装置が待機状態となっているとき、当該待機状態を解除する解除手段を更に備えることが好ましい。これによって、撮影装置を上記ネットワークとの間で無線通信可能な環境に持ち込むことにより、自動的に待機状態を解除することができるため、待機状態を解除するための煩雑な操作を行う必要がなくなり、利便性を更に向上することができる。
【発明の効果】
【００２２】
本発明によれば、撮影装置により、予め定められたネットワークとの間で無線通信可能な状態となっていることが検知されたときに画像データ記録用の記録媒体に記録されている画像データを前記ネットワークに送信すると共に、送信した画像データを前記記録媒体から消去し、サーバ装置により、撮影装置から送信された画像データが受信されたときに当該画像データを登録しているので、撮影装置を上記ネットワークとの間で無線通信可能な環境に持ち込むことにより、撮影装置によって画像データ記録用の記録媒体の残記憶容量を意識することなく撮影を行うことができる、という効果が得られる。
【発明を実施するための最良の形態】
【００２３】
以下、図面を参照して、本発明の実施の形態について詳細に説明する。なお、ここでは、本発明の撮影装置を、デジタル電子スチルカメラ（以下、「デジタルカメラ」という。）に適用すると共に、本発明のサーバ装置を、予め定められた複数箇所に設けられたホットスポット（HOT SPOT）を管理するサーバ装置に適用した場合について説明する。
【００２４】
まず、図１を参照して、本実施の形態に係る画像管理システム１０の構成を説明する。
【００２５】
同図に示すように、本実施の形態に係る画像管理システム１０は、画像管理システム１０による画像管理サービスを提供するサービス提供業者が所有するサーバ装置１２と、画像管理サービスを利用すべく上記サービス提供業者と所定の契約を締結した顧客が各々所有するデジタルカメラ２０と、各々デジタルカメラ２０との間で無線通信を可能とするホットスポットを形成するべく予め定められた位置に設けられると共に、所定の無線ＬＡＮ規格（ここでは、ＩＥＥＥ８０２．１１ｂ）に対応し、かつサーバ装置１２によって集中管理される複数の無線ＬＡＮアクセスポイント９０と、を含んで構成されており、サーバ装置１２と、複数の無線ＬＡＮアクセスポイント９０とが、各々モデム、ルータ、ＴＡ（Terminal Adapter）等の接続装置８２を介してインターネット８０に接続されて構成されている。
【００２６】
本実施の形態に係るサーバ装置１２には、画像管理サービスに関する各種データベースや各種プログラム等を記憶するためのハードディスク１８が接続されている。
【００２７】
一方、図２には、本実施の形態に係るデジタルカメラ２０の電気系の要部構成が示されている。
【００２８】
同図に示すように、本実施の形態に係るデジタルカメラ２０は、被写体像を結像させるためのレンズ２１（図１も参照。）を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００２９】
また、デジタルカメラ２０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３０】
なお、デジタル信号処理部３０は、所定容量のラインバッファを内蔵し、入力されたデジタルデータを後述するメモリ４８の所定領域に直接記憶させる制御も行う。
【００３１】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３２】
一方、デジタルカメラ２０には、撮影された被写体像やメニュー画面等を表示するための液晶ディスプレイ（以下、「ＬＣＤ」という。）３８が設けられており、デジタルカメラ２０は、上記被写体像やメニュー画面等をＬＣＤ３８に表示させるための信号を生成してＬＣＤ３８に供給するＬＣＤインタフェース３６を備えている。
【００３３】
また、デジタルカメラ２０は、デジタルカメラ２０全体の動作を司るＣＰＵ（中央処理装置）４０と、撮影により得られたデジタル画像データ等を記憶するメモリ４８と、メモリ４８に対するアクセスの制御を行うメモリインタフェース４６と、を含んで構成されている。
【００３４】
更に、デジタルカメラ２０は、可搬型のメモリカード５２をデジタルカメラ２０でアクセス可能とするための外部メモリインタフェース５０と、デジタル画像データに対する圧縮処理及び伸張処理を行う圧縮・伸張処理回路５４と、を含んで構成されている。
【００３５】
なお、本実施の形態のデジタルカメラ１０では、メモリ４８としてフラッシュ・メモリ（Flash Memory）が用いられ、メモリカード５２としてｘＤピクチャカードが用いられている。
【００３６】
デジタル信号処理部３０、ＬＣＤインタフェース３６、ＣＰＵ４０、メモリインタフェース４６、外部メモリインタフェース５０、及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６及び外部メモリインタフェース５０を介したアクセスを各々行うことができる。
【００３７】
一方、デジタルカメラ２０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００３８】
更に、デジタルカメラ２０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００３９】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００４０】
更に、不図示のレリーズボタン（所謂シャッター）、電源スイッチ、十字カーソルボタン等の各種ボタン、スイッチ類（同図では、「操作部５６」と総称。）はＣＰＵ４０に接続されており、ＣＰＵ４０は、これらの操作部５６に対する操作状態を常時把握できる。
【００４１】
ここで、本実施の形態に係るデジタルカメラ２０には、無線ＬＡＮアクセスポイント９０が対応している無線ＬＡＮ規格（ここでは、ＩＥＥＥ８０２．１１ｂ）に対応し、無線ＬＡＮアクセスポイント９０を介してサーバ装置１２との間の各種情報の送受信を行う送受信部６２が備えられている。なお、送受信部６２には、無線ＬＡＮアクセスポイント９０との間で各種情報を無線で送受信するためのアンテナ６０とＣＰＵ４０とが接続されている。
【００４２】
従って、ＣＰＵ４０は、送受信部６２及びアンテナ６０を介したサーバ装置１２との間の各種情報の送受信を行うことができる。
【００４３】
また、デジタルカメラ２０には、各々同期した状態で駆動する各部を駆動させるための動作クロック信号を生成して当該各部に供給するクロックジェネレータ７０が備えられており、当該各部の駆動は当該動作クロック信号に同期された状態で制御される。なお、クロックジェネレータ７０はＣＰＵ４０に接続されており、動作クロック信号の周波数及びクロックジェネレータ７０の駆動及び非駆動はＣＰＵ４０によって設定することができる。
【００４４】
ところで、本実施の形態に係るデジタルカメラ２０は、送受信部６２により、何れかの無線ＬＡＮアクセスポイント９０から発せられているキャリア（搬送波）が検出されることを以て、インターネット８０に対して無線通信可能な状態となっていることを検知するものとされている。
【００４５】
次に、図３及び図４を参照して、本実施の形態に係る送受信部６２におけるキャリアの検出に関する部分の構成を説明する。
【００４６】
図３に示すように、送受信部６２には、無線ＬＡＮアクセスポイント９０から発せられているキャリアを検波するキャリア検波部６４と、キャリア検波部６４により検波されるキャリアに対するノイズの影響を除去するノイズ除去部６６が備えられている。
【００４７】
図４に示すように、本実施の形態に係るキャリア検波部６４は、コイル６４Ａ及びコンデンサ６４Ｂの並列回路から構成された同調回路と、当該同調回路に並列接続された増幅回路６４Ｃと、上記同調回路及び増幅回路６４Ｃの並列回路に直列接続された検波ダイオード６４Ｄ及び増幅器６４Ｅと、を備えており、増幅器６４Ｅの出力信号が、無線ＬＡＮアクセスポイント９０から発せられているキャリアを検出したことを示すキャリア検出信号となる。
【００４８】
すなわち、キャリア検波部６４では、同調回路及び検波回路からなる、所謂ＡＭ検波によってキャリアの検知を実現しており、コイル６４Ａ及びコンデンサ６４Ｂからなる同調回路と、反転バッファを接続した発振回路を高利得・広帯域のアンプとして使用し、この入力として同調周波数の波長を有するアンテナ６０を使用することで、通信環境に入った時点でキャリア検出信号が出力されるようにしている。
【００４９】
なお、ノイズによるキャリア検出信号の不要な出力を防止するため、ノイズ除去部６６（回路構成は図示省略。）では、所定期間連続してキャリアが検出された際にキャリア検出信号を出力するようにしている。具体的には、上記所定期間分の出力パルス幅を有するモノマルチバイブレータをキャリア検出信号で起動した後、当該モノマルチバイブレータの出力パルス信号の終了タイミングでキャリア検出信号をラッチ回路にてラッチすることにより行う。当該ラッチ回路の出力信号がキャリア検出信号となる。
【００５０】
なお、本実施の形態に係るデジタルカメラ２０には待機モードが設けられており、ユーザ（顧客）による操作が所定期間以上行われない場合に自動的に待機モードに移行されるものとされている。
【００５１】
また、本実施の形態に係る画像管理システム１０では、サービス提供業者により、サービス提供業者と上記所定の契約を締結した各顧客に対してユーザＩＤ（Identification）が個別に付与されるものとされており、各顧客は、自身に付与されたユーザＩＤを自身が所有するデジタルカメラ２０に対して予め登録する。なお、当該ユーザＩＤの登録を、本実施の形態に係るデジタルカメラ２０では、当該ユーザＩＤをメモリ４８の所定記憶領域に記憶することによって行うものとしている。
【００５２】
一方、図５には、サーバ装置１２における本発明に特に関係する部分の電気系の構成が示されている。同図に示すように、サーバ装置１２は、サーバ装置１２全体の動作を司る制御部１４と、インターネット８０に接続された外部装置との間で各種情報の授受を行う入出力ポート１６と、ハードディスク１８が接続されると共に当該ハードディスク１８に対するアクセスを制御する入出力インタフェース部１７と、を備えており、これら各部はバスＢｕｓ１を介して相互に接続されている。従って、制御部１４は、バスＢｕｓ１及び入出力ポート１６を介してインターネット８０に接続された外部装置との間で各種情報の授受ができると共に、バスＢｕｓ１及び入出力インタフェース部１７を介してハードディスク１８に対する各種情報の書き込みや読み出しができる。
【００５３】
図６には、ハードディスク１８の各種記憶内容が模式的に示されている。同図に示すように、ハードディスク１８には、各種データベースを記憶するためのデータベース領域ＤＡと、各種プログラムを記憶するためのプログラム領域ＰＧと、が設けられている。
【００５４】
ここで、データベース領域ＤＡには、顧客に関する各種情報を記憶するための顧客管理データベースＤＢ１と、顧客が所有するデジタルカメラ２０からアップロードされた画像ファイルを記憶するための登録画像データベースＤＢ２と、が配置されている。
【００５５】
図７に示すように、本実施の形態に係る顧客管理データベースＤＢ１は、前述したユーザＩＤ及び対応する顧客がアップロードした画像ファイルを示す画像ファイル名の各情報を、各顧客毎に記憶するものとして構成されている。なお、本実施の形態に係る画像管理システム１０では、サービス提供業者により、顧客に対してユーザＩＤを付与した際に、顧客管理データベースＤＢ１のユーザＩＤ欄に対して当該ユーザＩＤを記憶するようにしている。従って、顧客管理データベースＤＢ１のユーザＩＤ欄を参照することにより、正規の顧客のユーザＩＤを確認することができる。
【００５６】
なお、図示は省略するが、本実施の形態に係る登録画像データベースＤＢ２は、上記画像ファイル名情報によって示される画像ファイルを順次記憶するものとして構成されている。
【００５７】
次に、本実施の形態に係る画像管理システム１０の作用を説明する。
【００５８】
まず、本実施の形態に係るデジタルカメラ２０の撮影時における全体的な動作について簡単に説明する。
【００５９】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００６０】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００６１】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行うと共に、ガンマ処理及びシャープネス処理を行って８ビットのデジタル画像データを生成する。
【００６２】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００６３】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００６４】
ここで、レリーズボタンがユーザによって半押し状態とされたタイミングでＡＥ（Automatic Exposure）機能が働いて露出状態が設定された後、ＡＦ（Auto Focus）機能が働いて合焦制御され、その後、引き続き全押し状態とされたタイミングで、その時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に電子化ファイル（画像ファイル）として記録する。
【００６５】
なお、本実施の形態に係るデジタルカメラ２０はＥｘｉｆ（Exchangeable Image File Format）規格に対応しており、上記画像ファイルはＥｘｉｆ規格のファイルとしてメモリカード５２に記録される。
【００６６】
次に、図８を参照して、本実施の形態に係るデジタルカメラ２０の、通常の動作モードから待機モードへの移行時及び当該待機モードから通常の動作モードへの移行時の動作について説明する。
【００６７】
デジタルカメラ２０は、ユーザ（顧客）による操作が所定期間以上行われない場合に待機モード設定信号が生成されて待機モードに自動的に移行される。このとき、ＣＰＵ４０は、クロックジェネレータ７０を非駆動状態に設定する。これによって、デジタルカメラ２０の消費電力を大幅に削減することができる。
【００６８】
その後、デジタルカメラ２０が、画像管理システム１０が対応しているホットスポット内の無線ＬＡＮアクセスポイント９０から発せされているキャリアの検出可能範囲に持ち込まれると、送受信部６２からキャリア検出信号が出力されるので、これに応じてＣＰＵ４０は、クロックジェネレータ７０を駆動状態に復帰させることによってデジタルカメラ２０を通常の動作モードに復帰させる。そして、ＣＰＵ４０は、通常の動作モードへの復帰の後に、デジタルカメラ２０のシステムを再起動する処理を行い、その後に無線ＬＡＮアクセスポイント９０との間で所定の通信手順での通信を開始してサーバ装置１２にログインした後、後述する画像アップロード処理を実行する。
【００６９】
このように、本実施の形態に係るデジタルカメラ２０では、無線ＬＡＮアクセスポイント９０と通信可能な状態となったことを以て、自動的に待機モードから通常の動作モードに復帰させると共に、サーバ装置１２へのログインまで行っているので、待機モードから通常の動作モードに復帰させると共に、サーバ装置１２へのログインをユーザ（顧客）によって手動操作で行う場合に比較して、利便性を大幅に向上することができると共に、ホットスポット内においてデジタルカメラ２０に対して何らかの処理を実行させるための操作を行うまでの期間を大幅に短縮することができる。
【００７０】
次に、図９を参照して、デジタルカメラ２０がホットスポット内に持ち込まれた際に当該デジタルカメラ２０において実行される画像アップロード処理について説明する。なお、図９は、この際、デジタルカメラ２０のＣＰＵ４０で実行される画像アップロード処理プログラムの処理の流れを示すフローチャートであり、当該プログラムは、メモリ４８の所定領域に予め記憶されている。
【００７１】
同図のステップ１００では、メモリカード５２に画像ファイルが記憶されているか否かを判定し、肯定判定となった場合はステップ１０２に移行する。
【００７２】
ステップ１０２では、メモリカード５２に記憶されている全ての画像ファイルをメモリカード５２から読み出すと共にユーザＩＤをメモリ４８から読み出し、読み出した画像ファイル及びユーザＩＤをサーバ装置１２に送信するように送受信部６２を制御する。これにより、画像ファイル及びユーザＩＤが、アンテナ６０、無線ＬＡＮアクセスポイント９０、及びインターネット８０を介してサーバ装置１２に送信される。
【００７３】
次のステップ１０４では、メモリカード５２に記憶されている全ての画像ファイルを消去するように外部メモリインタフェース５０を制御し、その後に本画像アップロード処理プログラムを終了する。
【００７４】
なお、上記ステップ１００において否定判定となった場合は、上記ステップ１０２〜ステップ１０４の処理を実行することなく、本画像アップロード処理プログラムを終了する。
【００７５】
次に、図１０を参照して、対応している無線ＬＡＮアクセスポイント９０を介して画像ファイル及びユーザＩＤが受信された際にサーバ装置１２において実行される画像登録処理について説明する。なお、図１０は、この際、サーバ装置１２の制御部１４で実行される画像登録処理プログラムの処理の流れを示すフローチャートであり、当該プログラムは、ハードディスク１８のプログラム領域ＰＧに予め記憶されている。
【００７６】
同図のステップ２００では、受信したユーザＩＤが顧客管理データベースＤＢ１に記憶されているか否かを判定し、肯定判定となった場合はステップ２０２に移行する。
【００７７】
ステップ２０２では、受信した画像ファイルを登録画像データベースＤＢ２に登録すると共に、記憶した画像ファイルのファイル名を顧客管理データベースＤＢ１の受信したユーザＩＤに対応する画像ファイル名欄に記憶するように入出力インタフェース部１７を制御し、その後に本画像登録処理プログラムを終了する。
【００７８】
なお、上記ステップ２００において否定判定となった場合は、上記ステップ２０２の処理を実行することなく、本画像登録処理プログラムを終了する。
【００７９】
以上の画像アップロード処理プログラム及び画像登録処理プログラムの実行により、正規の顧客が所有するデジタルカメラ２０が何れかのホットスポットに持ち込まれた際に、自動的に当該デジタルカメラ２０のメモリカード５２に記憶されている画像ファイルをサーバ装置１２にアップロードすることができると共に、メモリカード５２から画像ファイルを消去することができる。
【００８０】
ところで、本実施の形態に係るデジタルカメラ２０では、画像管理システム１０で対応している何れかのホットスポット内において不図示の再生モード設定スイッチが操作されて再生モード（撮影によって記録した画像ファイルにより示される被写体像をＬＣＤ３８にて再生（表示）するモード）が設定された際に再生モード処理が実行される。次に、図１１を参照して、当該再生モード処理について説明する。なお、図１１は、再生モード処理の実行時にデジタルカメラ２０のＣＰＵ４０で実行される再生モード処理プログラムの処理の流れを示すフローチャートであり、当該プログラムもメモリ４８の所定領域に予め記憶されている。
【００８１】
同図のステップ３００では、ユーザＩＤをメモリ４８から読み出し、当該ユーザＩＤと、自身が登録した画像ファイルのサムネイル画像を要求するサムネイル要求情報をサーバ装置１２に送信するように送受信部６２を制御し、次のステップ３０２にて、所定情報の受信待ちを行う。上記ステップ３００の処理によって、ユーザＩＤ及びサムネイル要求情報が、アンテナ６０、無線ＬＡＮアクセスポイント９０、及びインターネット８０を介してサーバ装置１２に送信される。
【００８２】
サムネイル要求情報を受信すると、サーバ装置１２では、後述する操作対応処理プログラム（図１５も参照。）により、サムネイル要求情報と共に受信したユーザＩＤによる認証を経た後に、当該ユーザＩＤに対応する顧客によって登録された全ての画像ファイルにおけるサムネイル画像を示すサムネイル画像情報を登録画像データベースＤＢ２から読み出して、アクセス元のデジタルカメラ２０に送信する。これに応じて上記ステップ３０２の処理が肯定判定となってステップ３０４に移行する。
【００８３】
ステップ３０４では、予め定められたメニュー画面をＬＣＤ３８により表示し、次のステップ３０６にて、所定情報の入力待ちを行う。
【００８４】
図１２には、上記ステップ３０４の処理によってＬＣＤ３８に表示されるメニュー画面の表示状態例が示されている。同図に示すように、当該メニュー画面では、実行させたい処理の選択を促す旨のメッセージと共に、実行可能な処理の名称として、「画像ファイルダウンロード処理」及び「プリント処理」の名称が表示される。同図に示すようなメニュー画面がＬＣＤ３８に表示されると、ユーザは、所望の処理を操作部５６の十字カーソルボタン（図示省略。）の操作によって指定する。これに応じて上記ステップ３０６の処理が肯定判定となってステップ３０８に移行する。
【００８５】
ステップ３０８では、メニュー画面上でユーザによって指定された処理が「画像ファイルダウンロード処理」であったか否かを判定し、肯定判定となった場合はステップ３１０に移行する。
【００８６】
ステップ３１０では、サーバ装置１２から受信したサムネイル画像情報に基づいて、当該サムネイル画像情報によって示されるサムネイル画像を所定フォーマットで一覧形式に表示するサムネイル画面を構成してＬＣＤ３８により表示し、次のステップ３１２にて、所定情報の入力待ちを行う。
【００８７】
図１３には、上記ステップ３１０の処理によってＬＣＤ３８に表示されるサムネイル画面の表示状態例が示されている。同図に示すように、当該サムネイル画面では、ダウンロードしたい画像の選択を促す旨のメッセージと共に、上記ステップ３０２の処理によって受信したサムネイル画像情報によって示される全てのサムネイル画像がスクロール表示可能に表示される。同図に示すようなサムネイル画面がＬＣＤ３８に表示されると、ユーザは、ダウンロードしたい画像ファイルの被写体像を示す全てのサムネイル画像を操作部５６の十字カーソルボタン（図示省略。）の操作によって指定した後、当該サムネイル画面の最下部に表示されている「終了」ボタンを十字カーソルボタンにて指定する。これに応じて上記ステップ３１２の処理が肯定判定となってステップ３１４に移行する。
【００８８】
ステップ３１４では、ユーザＩＤと、サムネイル画面上でユーザによって指定されたサムネイル画像を示す画像ファイル指定情報とをサーバ装置１２に送信するように送受信部６２を制御し、次のステップ３１６にて、所定情報の受信待ちを行う。上記ステップ３１４の処理によって、ユーザＩＤ及び画像ファイル指定情報がサーバ装置１２に送信される。
【００８９】
画像ファイル指定情報を受信すると、サーバ装置１２では、後述する操作対応処理プログラム（図１５も参照。）により、当該画像ファイル指定情報によって示されるサムネイル画像に対応する画像ファイルを登録画像データベースＤＢ２から読み出して、アクセス元のデジタルカメラ２０に送信する。これに応じて上記ステップ３１６の処理が肯定判定となってステップ３１８に移行する。
【００９０】
ステップ３１８では、上記ステップ３１６の処理によって受信した画像ファイルをメモリカード５２に記憶し、その後に本再生モード処理プログラムを終了する。
【００９１】
以上のステップ３００〜ステップ３１８の処理により、ユーザ（顧客）によって登録された画像ファイルの中の所望のものを、サーバ装置１２からメモリカード５２にダウンロードすることができる。
【００９２】
一方、上記ステップ３０８において否定判定となった場合はステップ３２０に移行し、メニュー画面（図１２も参照。）上でユーザによって指定された処理が「プリント処理」であったか否かを判定し、肯定判定となった場合はステップ３２２に移行する。
【００９３】
ステップ３２２では、予め定められたプリント指定画面をＬＣＤ３８により表示し、次のステップ３２４にて、所定情報の入力待ちを行う。
【００９４】
図１４には、上記ステップ３２２の処理によってＬＣＤ３８に表示されるプリント指定画面の表示状態例が示されている。同図に示すように、当該プリント指定画面では、上記ステップ３０２の処理によってサーバ装置１２から受信したサムネイル画像情報に基づいて、当該サムネイル画像情報によって示されるサムネイル画像が所定フォーマットで一覧形式に表示されると共に、プリントを手配するＤＰＥ（Develop Print Enlargement）店の指定を促す旨のメッセージ及び当該ＤＰＥ店を入力するための矩形枠が表示される。同図に示すようなプリント指定画面がＬＣＤ３８に表示されると、ユーザは、プリントしたい被写体像を示すサムネイルを操作部５６の十字カーソルボタン（図示省略。）の操作によって指定すると共に、プリントを手配したいＤＰＥ店を上記矩形枠内に操作部５６の操作によって入力した後、当該プリント指定画面の最下部に表示されている「終了」ボタンを十字カーソルボタンにて指定する。これに応じて上記ステップ３２４の処理が肯定判定となってステップ３２６に移行する。
【００９５】
ステップ３２６では、ユーザＩＤと、プリント指定画面上でユーザによって指定されたサムネイル画像を示す指定画像ファイル情報と、プリント指定画面上でユーザによって指定されたＤＰＥ店を示すプリント依頼先情報と、プリントの手配を指示するプリント指示情報とをサーバ装置１２に送信するように送受信部６２を制御し、その後に本再生モード処理プログラムを終了する。なお、上記ステップ３２０において否定判定となった場合は、上記ステップ３２２〜ステップ３２６の処理を実行することなく、本再生モード処理プログラムを終了する。
【００９６】
プリント指示情報を受信すると、サーバ装置１２では、後述する操作対応処理プログラム（図１５も参照。）により、ユーザによって指定されたＤＰＥ店に対して、ユーザによって指定されたサムネイル画像に対応する画像ファイルによる写真プリントの作成を指示する。これによって、ユーザは、プリント指定画面上で指定した被写体像の写真プリントを、指定したＤＰＥ店から速やかに受け取ることができる。
【００９７】
次に、図１５を参照して、対応している無線ＬＡＮアクセスポイント９０を介してユーザＩＤと、サムネイル要求情報、画像ファイル指定情報、及びプリント指示情報の何れかが受信された際にサーバ装置１２において実行される操作対応処理について説明する。なお、図１５は、この際、サーバ装置１２の制御部１４で実行される操作対応処理プログラムの処理の流れを示すフローチャートであり、当該プログラムもハードディスク１８のプログラム領域ＰＧに予め記憶されている。
【００９８】
同図のステップ４００では、受信したユーザＩＤが顧客管理データベースＤＢ１に記憶されているか否かを判定し、肯定判定となった場合はステップ４０２に移行し、否定判定となった場合には以降の処理を実行することなく本操作対応処理プログラムを終了する。
【００９９】
ステップ４０２では、ユーザＩＤと共に受信した情報がサムネイル要求情報であったか否かを判定し、肯定判定となった場合はステップ４０４に移行する。
【０１００】
ステップ４０４では、受信したユーザＩＤに対応する顧客によって登録された全ての画像ファイルにおけるサムネイル画像を示すサムネイル画像情報を登録画像データベースＤＢ２から読み出し、次のステップ４０６にて、読み出したサムネイル画像情報をアクセス元のデジタルカメラ２０に送信するように入出力ポート１６を制御し、その後に本操作対応処理プログラムを終了する。
【０１０１】
一方、上記ステップ４０２において否定判定となった場合はステップ４０８に移行し、ユーザＩＤと共に受信した情報が画像ファイル指定情報であったか否かを判定し、肯定判定となった場合はステップ４１０に移行する。
【０１０２】
ステップ４１０では、受信した画像ファイル指定情報によって示されるサムネイル画像に対応する画像ファイルを登録画像データベースＤＢ２から読み出し、次のステップ４１２にて、読み出した画像ファイルをアクセス元のデジタルカメラ２０に送信するように入出力ポート１６を制御し、その後に本操作対応処理プログラムを終了する。
【０１０３】
一方、上記ステップ４０８において否定判定となった場合はステップ４１４に移行し、ユーザＩＤと共に受信した情報がプリント指示情報であったか否かを判定し、肯定判定となった場合はステップ４１６に移行する。
【０１０４】
ステップ４１６では、プリント指示情報と共に受信したプリント依頼先情報によって示されるＤＰＥ店に対して、当該プリント指示情報と共に受信した指定画像ファイル情報によって示されるサムネイル画像に対応する画像ファイルを、インターネット８０を介して送信すると共に、アクセス元のデジタルカメラ２０の所有者であるユーザ（顧客）からのプリントの実行を手配（指示）するように入出力ポート１６を制御し、その後に本操作対応処理プログラムを終了する。なお、上記ステップ４１４において否定判定となった場合は上記ステップ４１６の処理を実行することなく本操作対応処理プログラムを終了する。
【０１０５】
以上詳細に説明したように、本実施の形態によれば、撮影装置（ここでは、デジタルカメラ２０）により、予め定められたネットワーク（ここでは、インターネット８０）との間で無線通信可能な状態となっていることが検知されたときに画像データ記録用の記録媒体（ここでは、メモリカード５２）に記録されている画像データ（ここでは、画像ファイル）を前記ネットワークに送信すると共に、送信した画像データを前記記録媒体から消去し、サーバ装置（ここでは、サーバ装置１２）により、撮影装置から送信された画像データが受信されたときに当該画像データを登録しているので、撮影装置を上記ネットワークとの間で無線通信可能な環境に持ち込むことにより、撮影装置によって画像データ記録用の記録媒体の残記憶容量を意識することなく撮影を行うことができるようになる。
【０１０６】
また、本実施の形態によれば、前記撮影装置に、前記サーバ装置の記憶手段（ここでは、ハードディスク１８）に登録されている画像データのダウンロードの実行指示を入力する指示入力手段（ここでは、操作部５６）を更に備え、撮影装置制御手段（ここでは、ＣＰＵ４０）は、前記指示入力手段によって前記ダウンロードの実行指示が入力されたときに当該ダウンロードの実行を指示するダウンロード実行指示情報（ここでは、画像ファイル指定情報）を前記ネットワークに送信するように無線通信手段（ここでは、送受信部６２）を制御すると共に、当該ダウンロード実行指示情報に応じて前記サーバ装置から送信される画像データが前記無線通信手段によって受信されたときに当該画像データを前記記録媒体に記録するように画像記録消去手段（ここでは、外部メモリインタフェース５０）を制御し、サーバ装置制御手段（ここでは、制御部１４）により、前記撮影装置の前記無線通信手段によって送信された前記ダウンロード実行指示情報が通信手段（ここでは、入出力ポート１６）によって受信されたときに前記記憶手段に登録されている画像データを送信するように前記通信手段を制御しているので、撮影装置を上記ネットワークとの間で無線通信可能な環境に持ち込むことにより、サーバ装置に登録した画像データをダウンロードすることができ、利便性を向上することができる。
【０１０７】
また、本実施の形態によれば、前記指示入力手段を、前記サーバ装置の前記記憶手段に登録されている画像データによって示される被写体像のプリントの実行指示を更に入力するものとし、前記撮影装置制御手段により、前記指示入力手段によって前記プリントの実行指示が入力されたときに当該プリントの実行を指示するプリント実行指示情報（ここでは、プリント指示情報）を前記ネットワークに送信するように前記無線通信手段を制御し、前記サーバ装置制御手段により、前記撮影装置の前記無線通信手段によって送信された前記プリント実行指示情報が前記通信手段によって受信されたときに当該プリント実行指示情報に応じたプリントを手配するように前記通信手段を制御しているので、撮影装置を上記ネットワークとの間で無線通信可能な環境に持ち込むことにより、サーバ装置に登録した画像データによって示される被写体像のプリントの手配を簡易に行うことができ、利便性を向上することができる。
【０１０８】
更に、本実施の形態によれば、前記撮影装置に、検知手段（ここでは、キャリア検波部６４）によって無線通信可能な状態となっていることが検知されたときで、かつ当該撮影装置が待機状態となっているとき、当該待機状態を解除する解除手段（ここでは、ＣＰＵ４０）を備えているので、撮影装置を上記ネットワークとの間で無線通信可能な環境に持ち込むことにより、自動的に待機状態を解除することができるため、待機状態を解除するための煩雑な操作を行う必要がなくなり、利便性を更に向上することができる。
【０１０９】
なお、本実施の形態で説明した各種処理プログラムの処理の流れ（図９〜図１１、図１５参照。）は一例であり、本発明の主旨を逸脱しない範囲内において適宜変更可能であることは言うまでもない。
【０１１０】
例えば、再生モード処理プログラム（図１１参照。）では、ダウンロードないしプリントの対象とする画像ファイルを、選択対象とする画像ファイルによって示される被写体像のサムネイルを一覧表示して、当該サムネイルから選択するものとした場合について説明したが、本発明はこれに限定されるものではなく、例えば、選択対象とする画像ファイルのファイル名を一覧表示して、当該ファイル名から選択する形態とすることもできる。この場合も、本実施の形態と同様の効果を奏することができる。
【０１１１】
また、本実施の形態で説明した画像管理システム１０の構成（図１〜図７参照。）も一例であり、本発明の主旨を逸脱しない範囲内において適宜変更可能であることは言うまでもない。
【０１１２】
更に、本実施の形態で示した各種画面の表示状態（図１２〜図１４参照。）も一例であり、本発明の主旨を逸脱しない範囲内において適宜変更可能であることは言うまでもない。
【図面の簡単な説明】
【０１１３】
【図１】実施の形態に係る画像管理システムの全体構成を示すブロック図である。
【図２】実施の形態に係るデジタルカメラの電気系の要部構成を示すブロック図である。
【図３】実施の形態に係るデジタルカメラにおける送受信部のキャリアの検出に関する部分の構成を示すブロック図である。
【図４】実施の形態に係るデジタルカメラにおける送受信部のキャリア検波部の構成を示す回路図である。
【図５】実施の形態に係るサーバ装置の電気系の主要構成を示すブロック図である。
【図６】実施の形態に係るサーバ装置に設けられたハードディスクの記憶内容を示す模式図である。
【図７】実施の形態に係る顧客管理データベースの構成を示す模式図である。
【図８】実施の形態に係るデジタルカメラの通常の動作モードから待機モードへの移行時及び当該待機モードから通常の動作モードへの移行時の動作の説明に供するタイムチャートである。
【図９】実施の形態に係る画像アップロード処理プログラムの処理の流れを示すフローチャートである。
【図１０】実施の形態に係る画像登録処理プログラムの処理の流れを示すフローチャートである。
【図１１】実施の形態に係る再生モード処理プログラムの処理の流れを示すフローチャートである。
【図１２】実施の形態に係るメニュー画面の表示状態例を示す概略図である。
【図１３】実施の形態に係るサムネイル画面の表示状態例を示す概略図である。
【図１４】実施の形態に係るプリント指定画面の表示状態例を示す概略図である。
【図１５】実施の形態に係る操作対応処理プログラムの処理の流れを示すフローチャートである。
【符号の説明】
【０１１４】
１０    画像管理システム
１２    サーバ装置
１４    制御部（サーバ装置制御手段）
１６    入出力ポート（通信手段）
１７    入出力インタフェース部（画像登録手段）
１８    ハードディスク（記憶手段）
２０    デジタルカメラ
２４    ＣＣＤ（撮像手段）
４０    ＣＰＵ（撮影装置制御手段、解除手段）
５０    外部メモリインタフェース（画像記録消去手段）
５２    メモリカード（記録媒体）
５６    操作部（指示入力手段）
６０    アンテナ
６２    送受信部（無線通信手段）
６４    キャリア検波部（検知手段）
７０    クロックジェネレータ
８０    インターネット（ネットワーク）
９０    無線ＬＡＮアクセスポイント
ＤＢ１    顧客管理データベース
ＤＢ２    登録画像データベース
【図１】
2006115146.tif 000003
【図２】
2006115146.tif 000004
【図３】
2006115146.tif 000005
【図４】
2006115146.tif 000006
【図５】
2006115146.tif 000007
【図６】
2006115146.tif 000008
【図７】
2006115146.tif 000009
【図８】
2006115146.tif 000010
【図９】
2006115146.tif 000011
【図１０】
2006115146.tif 000012
【図１１】
2006115146.tif 000013
【図１２】
2006115146.tif 000014
【図１３】
2006115146.tif 000015
【図１４】
2006115146.tif 000016
【図１５】
2006115146.tif 000017